(57)【特許請求の範囲】
【請求項１】
外枠に蓄電池を着脱可能に保持し、前記外枠にフックを取付け可能とするフック取付け部を有する電池工具において、前記フック取付け部に前記外枠に取付けられた前記蓄電池外壁と該外壁に対面する壁面とにより形成されるフック収納部を設けると共に、前記フックに前記フック収納部内に収納される係合部を設け、且つ該フック収納部内において前記係合部の長手方向に対する前記フックの移動を規制する規制手段を設けたことを特徴とする電池工具。
【請求項２】
前記フック取付け部を前記蓄電池外壁側が開口した凹型形状としたことを特徴とする請求項１記載の電池工具。
【請求項３】
前記規制手段を前記フックの前記係合部の前記蓄電池側側面に設けられた凹部あるいは凸部と、前記蓄電池の側面に設けられ、前記凹部あるいは凸部と係合可能な凸部あるいは凹部とを有する構成としたことを特徴とする請求項１記載の電池工具。
【請求項４】
前記規制手段を前記フックの前記係合部に設けられた凹部あるいは凸部と、前記フック収納部内に設けられ、前記凹部あるいは凸部と係合可能な凸部あるいは凹部としたことを特徴とする請求項１記載の電池工具。
【請求項５】
前記フックの前記係合部及び前記フック取付け部に、前記フック収納部内において前記係合部を仮止めする仮止め手段を設けたことを特徴とする請求項１記載の電池工具。
【請求項６】
前記仮止め手段を、前記フックの前記係合部に設けられた凹部と、前記フック取付け部に設けられ前記凹部内に係合可能な凸部と、前記凹部内に設けられ前記凸部と係合可能な仮止め部材とにより構成したことを特徴とする請求項５記載の電池工具。
【請求項７】
前記フック収納部を前記フック取付け部の両側面側に貫通した形状としたことを特徴とする請求項１記載の電池工具。
【請求項８】
前記係合部の断面形状を左右対称としたことを特徴とする請求項２記載の電池工具。
【請求項９】
前記係合部の断面形状を上下左右対称の多角形としたことを特徴とする請求項１記載の電池工具。
【請求項１０】
前記フック取付け部に凸部を設けると共に、前記係合部に前記凸部と干渉しないよう前記フック取付け部の前記蓄電池と対面する前記壁面と前記蓄電池の側面とを結ぶ方向に延びる逃げ溝と、該逃げ部と連通し前記係合部の長手方向に延びる連通溝を設けたことを特徴とする請求項１記載の電池工具。
【発明の詳細な説明】
【０００１】
【発明の属する技術分野】
本発明は、フックを有する電池工具に関するものである。
【０００２】
【従来の技術】
従来の電池工具の一例を図１０、図１１を用いて説明する。なお、図１０は従来の電池工具の一例を示す要部拡大斜視図、図１１は図１０の要部断面図である。
【０００３】
図に示すように従来の電池工具は、蓄電池７を着脱可能な構成をした外枠１下部にフック取付け用の貫通穴Ａ１１を有するフック取付け部２を設けた構成をしており、一端に貫通穴Ｂ１２を有したフック３が、貫通穴Ａ１１及び貫通穴Ｂ１２に連通するネジ１３及びネジ１３とネジ嵌合するナット１４によってフック取付け部２に取付けられている。ナット１４はフック取付け部２の一側面側に設けられたナット収納部１０に回動不能に収納されており、ネジ１３をナット１４に対して締め付けることにより、ネジ１３とナット１４とによって、フック３とフック取付け部２を挟み込み、外枠１上にフック３を固定し、取付ける構造となっている。
【０００４】
フック３を外枠１から取外すには、ネジ１３をナット１４に対して緩め、ネジ１３とナット１４とのネジ嵌合を解除することにより行うことができる。
【０００５】
また、ネジ１３をナット１４に対して緩めることにより、フック３を貫通孔Ｂ１２を支点として回動させることができ、これにより外枠１に対するフック３の取付け位置を任意の位置に設定することができるようになっている。
【０００６】
なお、蓄電池７の外枠１下部、すなわち電池工具への取付けは、蓄電池７に設けられた着脱装置であるラッチ７ａが外枠１下部に係合することにより行われ、また、ラッチ７ａを操作することにより蓄電池７を外枠１下部から取外すことができる。
【０００７】
【発明が解決しようとする課題】
上記したような従来の電池工具は、フック３の取付け、取外し作業をネジ１３をナット１４に対して締付けるあるいは緩めることにより行う構造をしたものであったが、このためドライバ等の工具が必要であり、フック３の取付け、取外し作業の作業性が悪いものであると共にネジ１３及びナット１４が必要であり部品点数が多く電池工具の低コスト化の妨げとなっていた。また、ネジ１３をナット１４に対して締め付け、フック３とフック取付け部２を挟み込むことによりフック３の取付けが行われる構造であるが、ネジ１３の締付け量が少ない場合には、フック３が固定が確実に行われず不意にフック３が貫通孔Ｂ１２を支点として回動してしまう恐れがあり、またネジ１３の締付け量が多い場合にはフック３の固定は確実に行われるが、フック３、フック取付け部２及びナット収納部１０が破損してしまう恐れがあり、的確なネジ１３の締付け量を得ることが困難であった。
【０００８】
また、フック取付け部２の一側面側のみにナット１４を回動不能に収納するナット収納部１０を設けた構成あるため、フック取付け部２の側面に対してフック３を取付ける位置がフック取付け部２の一側面側に限定されており、任意にフック３の取付け位置を変更することができないものであった。
【０００９】
更に、フック３の取付け、取外し作業及びフック３を貫通孔Ｂ１２を支点として回動させ外枠１に対するフック３の位置を変更する作業を外枠１を把持しながら行い、図示しない外枠１に取付けられた駆動スイッチを操作してしまうと、電池工具に蓄電池７が接続された状態では不意に電池工具が駆動してしまうという欠点があった。
【００１０】
本発明の目的は、上記した欠点を解消し、フックの取付け、取外し作業を容易に行うことができると共に、安価な電池工具を提供することである。
【００１１】
また、本発明の目的は、フック及びフック取付け部の寿命低下を抑制することができる電池工具を提供することである。
【００１２】
更に、本発明の目的は、フック取付け部の両側面側にフックを取付けることができる可能な電池工具を提供することである。
【００１３】
更に、本発明の目的は、フックの取付け、取外し作業等に、不意に電池工具が駆動することのない電池工具を提供することである。
【００１４】
【課題を解決するための手段】
上記目的は、フック取付け部に外枠に取付けられた蓄電池外壁と該外壁に対面する壁面とにより形成されるフック収納部を設ける共に、フックにフック収納部内に収納される係合部を設け、且つ該フック収納部内において係合部の長手方向に対するフックの移動を規制する規制手段を設けた構成とすることにより達成される。
【００１５】
【発明の実施の形態】
本発明電池工具の一実施形態を図１〜図３を用いて説明する。なお、図１は本発明電池工具の一実施形態を示す要部拡大斜視図、図２は本発明電池工具を構成するフック取付け部の一実施形態を示す要部拡大斜視図、図３は本発明電池工具を構成するフックの一実施形態を示す斜視図である。
【００１６】
図１は電池工具にフック３を取付けた状態であり、図に示すように外枠１下部には蓄電池７が着脱装置であるラッチ７ａと外枠１下部とが係合することにより取付けられており、外枠１下部に設けられたフック取付け部２に取付けられたフック３はフック取付け部２の内壁と蓄電池７の外壁との間に収納されている。
【００１７】
フック取付け部２には図２に示すようにフック収納部４が設けられており、このフック収納部４内に図１及び図３に示す構成をしたフック３の係合部３ａが収納される。なお、フック３はフック収納部４内に収納される係合部３ａと、電池工具への取付け時にフック収納部４外に突出するフック部３ｂとからなるほぼＬ字状の形状となっている。
【００１８】
フック取付け部２は図に示すように外枠１下部に下方に突出するように設けられ、蓄電池７と対面する壁面２ａ、下側の壁面２ｂ、上側の壁面２ｃと、蓄電池７側の開口部２ｆとを有する凹型形状をし、壁面２ａ〜２ｃ及び開口部２ｆによって係合部３ａが収納されるフック収納部４を形成している。フック収納部４内にフック３の係合部３ａを収納させるには、蓄電池７側の開口部２ｆから係合部３ａを収納させる構成となっている。
【００１９】
フック収納部４内にフック３の係合部３ａを収納し、その後蓄電池７を外枠１下部に取付けることにより、フック取付け部２の開口部２ｆは蓄電池７の外壁により閉塞され、フック収納部４内のフック３を開口部２ｆから取外すことができなくなると共にフック収納部４内においてフック３の係合部３ａはフック取付け部２の壁面２ａと蓄電池７の外壁とによって図１に示す横方向の移動が規制される。また、フック３の係合部３ａの図１で示す上面及び下面はそれぞれフック取付け部２の上側の壁面２ｃと下側の壁面２ｂとに当接しており、フック３は図１の上下方向においても移動が規制されている。
【００２０】
また、フック３の係合部３ａの蓄電池７側の側面には図３に示すように凹部３ｅが設けられており、この凹部３ｅは蓄電池７の外壁のフック取付け部２側に設けられている凸部７ｂと係合可能となっており、この凹部３ｅと凸部７ｂとの係合によってフック３は係合部３ａの長手方向の移動も規制され、フック３は外枠１に固定される。
【００２１】
なお、図に示す実施形態では、図２に示すようにフック取付け部２の下側の壁面２ｃに凸部２ｄを設け、図３に示すようにフック３の係合部３ａに壁面２ａと蓄電池７外壁とを結ぶ方向に延び、凸部２ｄと干渉しない形状をした逃げ溝３ｃが設けられていると共に、逃げ溝３ｃと連通して係合部３ａの長手方向に延びる凸部２ｄと係合可能な連通溝３ｄを設けた構成をしており、このような構成とすることによってフック３を外枠１に取付けた状態から蓄電池７を取外した際に、蓄電池７を取外すと同時にフック取付け部２からフック３が抜け落ちてしまうことを防止するようにしている。
【００２２】
本発明電池工具におけるフック３の取付け動作を図４〜図７を用いて詳細に説明する。なお、図４〜図７はフック取付け部２、フック３及び蓄電池７の関係を示す図１のＡ方向矢視要部拡大図である。
【００２３】
図４に示す状態は、外枠１下部から蓄電池７を取外し、フック収納部４内にフック３を収納させていない状態であり、図５はフック収納部４内にフック３の係合部３ａを収納させた状態を示す。
【００２４】
フック取付け部２の下側の壁面２ｂに設けられた凸部２ｄとフック３の係合部３ａに設けられた逃げ溝３ｃとの位置を合わせ、凸部２ｄとフック３とが干渉しない状態にすることで図５に示すようにフック３を開口部２ｆからフック収納部４内に収納させることができる。
【００２５】
図５に示す状態からフック３を図示Ｂ方向に移動させ、図６に示すように逃げ溝３ｃと連通した連通溝３ｄ内にフック取付け部２の下側の壁面２ｃに設けられた凸部２ｄを位置させる。
【００２６】
図６に示すようにフック収納部４内にフック３の係合部３ａを収納させた状態から図１に示すように外枠１下部に蓄電池７を取付けると、図７に示すように蓄電池７の外壁に設けられた凸部７ｂがフック３の係合部３ａに設けられた凹部３ｅと係合し、これによりフック３の係合部３ａの長手方向の移動が規制され、フック３のフック取付け部２への取付けが完了する。
【００２７】
上記したようにフック３をフック収納部４内に収納させ、その後フック３を係合部３ａの長手方向に移動させることによりフック取付け部２の凸部２ｄとフック３の係合部３ａの連通溝３ｄとが係合した際に、蓄電池７の凸部７ｂとフック３の凹部３ｅとが係合する構成とし、図５に示すようにフック取付け部２の凸部２ｄとフック３の係合部３ａの連通溝３ｄとが係合していない状態で外枠１下部に蓄電池７を取付けようとすると蓄電池７の凸部７ｂとフック３の係合部３ａの凹部３ｅとが係合せずに蓄電池７の凸部７ｂが係合部３ａの下面に当接し蓄電池７の取付け作業を行うことができない構成としたことにより、フック３をフック取付け部２に固定させた図１に示す状態ではフック３とフック取付け部２との関係は常に図７に示す状態となる。このため、図１に示す状態から蓄電池７を外枠１下部から取外したとしてもフック３の係合部３ａの連通溝３ｄとフック取付け部２の下側の壁面２ｃの凸部２ｄとが係合した状態が維持されるため、フック３がフック取付け部２の開口部２ｆ、すなわち蓄電池７側から抜け落ちることを防止することができる。
【００２８】
上記したように本発明によれば、従来の電池工具のようにネジ及びナット等の他部材を用いずにフック３をフック取付け部２へ取付けることができるため、部品点数の削減及び低コスト化を図ることができるようになると共に、ネジを締付け及び緩め操作するための工具を必要としないため、フック３の取付け、取外し作業の作業性を向上させることができる。
【００２９】
また、従来の電池工具のようにネジとナットとのネジ嵌合量によりフック３の固定を行う構成でないため、フック３及びフック取付け部２の寿命を低下させてしまうようなことはなく、高寿命な電池工具を提供することができる。
【００３０】
更に、フック３の取付け、取外し作業時には、蓄電池７が外枠１下部に接続されていない状態であるため、フック３の取付け、取外し作業時に外枠１を把持することにより図示しない起動スイッチを操作してしまったとしても、不意に電池工具が駆動してしまうことがない。
【００３１】
なお、上記実施形態に示すようにフック取付け部２のフック収納部４をフック取付け部２の両側面側に貫通した形状とすると共に、フック３の係合部３ａの断面形状を左右対称に形成したことにより、フック３をフック取付け部２の両側面側に取付けることができるようになり、作業状態や作業者の好みに応じたフック３の取付け位置を得ることができるようになる。
【００３２】
また、上記実施形態のフック３の係合部３ａを断面形状が上下左右対称の多角形の形状とすると共に、フック収納部４の形状を係合部３ａの形状に対応する形状とすることにより、フック３をフック収納部４内に収納させる際の角度に応じてフック取付け部２に対するフック部３ｂの取付け角度を任意に設定することが可能となる。なお、係合部３ａの断面形状の角数が多ければ多いほど、フック取付け部２に対するフック部３ｂの取付け角度の角度調整を微調整することができるものである。
【００３３】
また、上記実施形態では、外枠１から蓄電池７を取外した状態でフック取付け部２の開口部２ｆよりフック３の係合部３ａをフック収納部４内に収納する構成としたものであるが、本発明はこの構成に限定されるものではなく、上記実施形態と同様に外枠１から蓄電池７を取外した状態でフック取付け部２の側面方向からフック３の係合部３ａをフック収納部４内に収納させ、その後蓄電池７を外枠１下部に取付けることによりフック３のフック取付け部２への固定が完了する構成としても良い。
【００３４】
更に、上記した実施形態では、フック取付け部２を外枠１下部よりも下方に突出し蓄電池７側方に位置する構成とし、フック取付け部２の形状を蓄電池７側に開口部２ｆを有する凹型形状として、蓄電池７外壁とフック取付け部２の蓄電池７側面に対面する壁面２ａとによりフック３がフック収納部４から抜け落ちることを防止する構成としたが、本発明はこの構成に限定されるものではなく、例えばフック取付け部２を外枠１に対して下方に開口部２ｆを有する形状とし、蓄電池７の一部上面により開口部２ｆが閉塞される構成としても良い。また、外枠１内にフック収納部４が形成されるようフック取付け部２を構成としても良い。
【００３５】
また、フック３の取付け時にフック３の係合部３ａの長手方向の移動を規制する規制手段を上記実施形態では蓄電池７外壁に設けられた凸部７ｂとこの凸部７ｂと係合可能なフック３の係合部３ａに設けた凹部３ｅとにより構成し、蓄電池７の凸部７ｂにフック取付け部２の開口部２ｆを閉塞する機能と前記規制手段を構成する機能とを持たせた構成としたが、本発明電池工具はこれに限るものではなく、上記規制手段をフック３の係合部３ａとフック取付け部２とにそれぞれ設けた部材により構成することも可能である。
【００３６】
次に本発明電池工具の他の実施形態を図８、図９を用いて説明する。なお、図８は本発明電池工具を構成するフックの他の実施形態を示す平面図であり、図９は図８のＣ−Ｃ線断面図である。
【００３７】
本実施形態のフック３は、係合部３ａに逃げ溝３ｃ及び連通溝３ｄをそれぞれ２個設けると共に、１つの連通溝３ｄ内に弾性を有した仮止め部材３ｆを設けた構成をしたものである。
【００３８】
図示しないが本実施形態のフック３を採用する電池工具のフック取付け部２には、２個の逃げ溝３ｃ及び連通溝３ｄに対応する２個の凸部２ｄを設けた構成とする。
【００３９】
上記した仮止め部材３ｆは、図９に示すように係合部３ａに一体的に形成されており、自身の弾性力により常に先端の突起部３ｇが連通溝３ｄ内に突出するようになっている。
【００４０】
本実施形態のフック３は、上記実施形態のフック３と同様に図４〜図７で示すようにフック収納部４内に収納されるが、図５に示す状態からフック３を図示Ｂ矢視方向に移動させ逃げ溝３ｃ内に位置するフック取付け部２の凸部２ｄが連通溝３ｄ内に移動する際に、凸部２ｄは本実施形態のフック３に設けられた仮止め部材３ｆを弾性変形させ、突起部３ｇを乗り越え連通溝３ｄ内に移動する。仮止め部材３ｆの根元部分から突起部３ｇまでの寸法Ｄはフック取付け部２の凸部２ｄの外径寸法よりも大きく形成されており、突起部３ｇを乗り越え連通溝３ｄ内に凸部２ｄが移動すると仮止め部材３ｆは図９に示す初期状態に復帰し、突起部３ｇは連通溝３ｄ内に突出し突起部３ｇとフック取付け部２の凸部２ｄとは係合する。
【００４１】
これにより、仮止め部材３ｆの突起部３ｇが係合部３ａと凸部２ｄとの相対移動を規制するよう働き、フック収納部４内における係合部３ａの長手方向の移動は規制される。この状態で蓄電池７を外枠１下部に取付けると蓄電池７外壁の凸部７ｂと係合部３ａの凹部３ｅとが係合し、フック３はフック取付け部２に固定される。
【００４２】
上記したようにフック３の係合部３ａに仮止め部材３ｆを設けたことにより、外枠１から蓄電池７を取外したとしても、フック３の係合部３ａはフック収納部４内に収納された状態を維持し、仮止め部材３ｆを弾性変形させ仮止め部材３ｆの突起部３ｇを連通溝３ｄから後退させなければ、仮止め部材３ｆの突起部３ｇとフック取付け部２の凸部２ｄとの係合を解除することができず、フック３をフック取付け部２から取外すことができない。なお、仮止め部材３ｆはある程度の荷重が加わった際に突起部３ｇが連通溝３ｄから後退するよう設定されており、振動等による微細な荷重では突起部３ｇが連通溝３ｄから後退せず、フック３の仮止め状態を維持するようになっている。
【００４３】
また、本実施形態のフック３では、図に示すように逃げ溝３ｃ及び連通溝３ｇをそれぞれ２個設けると共に、これに対応するフック取付け部２の凸部２ｄについても２個設けた構成としたが、このような構成とすることにより、フック収納部４内におけるフック３のガタを少なくすることができる。また、フック３に荷重が加わった際にその荷重を分散することができるようになるため、フック３及びフック取付け部２の破損等を抑制することができるようになり、フック３及びフック取付け部２の寿命を向上させることができる。
【００４４】
【発明の効果】
上記したように本発明によれば、フックの取付け、取外し作業を容易に行うことができると共に、安価で、フック及びフック取付け部の寿命低下を抑制することができ、かつフック取付け部の両側にフックを取付けること、及びフックの取付け、取外し作業及びフックの固定位置を変更させる作業時に、不意に電池工具が駆動することのない電池工具を提供することができるようになる。
【図面の簡単な説明】
【図１】本発明電池工具の一実施形態を示す要部拡大斜視図。
【図２】本発明電池工具を構成するフック取付け部の一実施形態を示す要部拡大斜視図。
【図３】本発明電池工具を構成するフックの一実施形態を示す要部拡大斜視図。
【図４】本発明電池工具のフック取付け動作状態を示す図１のＡ方向矢視要部拡大図。
【図５】本発明電池工具のフック取付け動作状態を示す図１のＡ方向矢視要部拡大図。
【図６】本発明電池工具のフック取付け動作状態を示す図１のＡ方向矢視要部拡大図。
【図７】本発明電池工具のフック取付け動作状態を示す図１のＡ方向矢視要部拡大図。
【図８】本発明電池工具を構成するフックの他の実施形態を示す平面図。
【図９】図８のＣ−Ｃ線断面図。
【図１０】従来の電池工具の一例を示す要部拡大斜視図。
【図１１】図１０の要部断面拡大図。
【符号の説明】
１は外枠、２はフック取付け部、３はフック、４は凸部、５は、６は、７は蓄電池、８は、９は、１０は、１１は貫通穴Ａ、１２は貫通穴Ｂ、１３はネジ、１４はナットである。
【図１】
0003858607.tif 000002
【図２】
0003858607.tif 000003
【図３】
0003858607.tif 000004
【図４】
0003858607.tif 000005
【図５】
0003858607.tif 000006
【図６】
0003858607.tif 000007
【図７】
0003858607.tif 000008
【図８】
0003858607.tif 000009
【図９】
0003858607.tif 000010
【図１０】
0003858607.tif 000011
【図１１】
0003858607.tif 000012